(57)【要約】【課題】部品点数の増大を抑制しつつ電池を保持する機構を備えた電子機器を提供する。【解決手段】  電子機器１は、本体部１０とカバー部５０とを有するケース５であって、本体１０が、収容する電池２０の一方の第１の面２２の少なくとも一部を支持するケース５と、ケース５内に収容され、電池２０の他方の第２の面２４側に位置する回路基板３０と、ケース５内に収容され、回路基板３０とカバー部５０との間に位置する弾性体４０と、を備え、弾性体４０の少なくとも一部が、カバー部５０に押圧されて電池２０の第２の面２４に当接している。【選択図】図１２
2017130335.tif 000002
【特許請求の範囲】
【請求項１】
本体部とカバー部とを有するケースであって、前記本体部が、収容する電池の一方の第１の面の少なくとも一部を支持するように構成された前記ケースと、  
前記ケース内に収容され、前記電池の他方の第２の面側に位置するように構成された回路基板と、
前記ケース内に収容され、前記回路基板と前記カバー部との間に位置する弾性体と、を備え、
前記弾性体の少なくとも一部が、前記カバー部に押圧されて前記電池の前記第２の面に当接するように構成されている、
電子機器。
【請求項２】
前記カバー部は、前記弾性体側に突出する第１の突出部を有し、
前記弾性体の前記少なくとも一部は、前記第１の突出部に押圧されて前記第２の面に当接するように構成されている、
請求項１の電子機器。
【請求項３】
前記弾性体は、前記回路基板側に突出すると共に前記カバー部側が凹んでいる第２の突出部を有し、
前記弾性体の前記第２の突出部が、前記第１の突出部に押圧されて前記第２の面に当接するように構成されている、
請求項２の電子機器。
【請求項４】
前記弾性体は、前記回路基板側に突出する第２の突出部を有し、
前記弾性体の前記第２の突出部が、前記カバー部に押圧されて前記電池の前記第２の面に当接するように構成されている、
請求項１の電子機器。
【請求項５】
前記回路基板は、貫通孔を有し、
前記弾性体の前記少なくとも一部は、前記貫通孔を通って前記第２の面に当接するように構成されている、
請求項１〜４のいずれかの電子機器。
【請求項６】
前記回路基板は、切り欠き部を有し、
前記弾性体の前記少なくとも一部は、前記切り欠き部によって生じたスペースを通って前記第２の面に当接するように構成されている、
請求項１〜４のいずれかの電子機器。
【請求項７】
前記本体部は、前記電池及び前記回路基板を収容する凹部を有し、
前記弾性体は、前記凹部を閉塞している、
請求項１〜６のいずれかの電子機器。
【請求項８】
前記本体部は、前記第１及び第２の面に平行な方向の前記電池の移動を規制する規制部を有し、
前記規制部は、前記電池の外周の少なくとも一部に沿うように設けられている壁部である、
請求項１〜７のいずれかの電子機器。
【請求項９】
前記回路基板は、前記電池側に、前記第２の面に接触するように構成された電極部を有し、前記弾性体側に、１又は複数の電子部品が実装されており、
前記弾性体は、前記１又は複数の電子部品を覆っている、
請求項１〜８のいずれかの電子機器。
【請求項１０】
前記回路基板は、前記弾性体側に少なくともスイッチが実装されており、
前記本体部は、操作者による押下操作に応じて前記弾性体を介して前記スイッチをオンするノブを有する、
請求項１〜９のいずれかの電子機器。
【請求項１１】
前記電池をさらに備える請求項１〜１０のいずれかの電子機器。
【発明の詳細な説明】
【技術分野】
【０００１】
本発明は、電子キー等の電子機器に関するものである。
【背景技術】
【０００２】
従来、車両におけるキーレスエントリシステムの電子キー等の携帯用の電子機器が知られている。こうした携帯用の電子機器は、落下又は衝突等によって内蔵する電池がガタついて振動すると、電極端子に対する接触不良等が生じる恐れがある。そこで、こうした電子機器は、内蔵する電池を保持する機構を有することがある。例えば、特許文献１は、プリント配線板に実装された電池ケース内に電池を保持する機構を有する電子キーを開示している。
【先行技術文献】
【特許文献】
【０００３】
【特許文献１】特開２００７−２９９８０３号公報
【発明の概要】
【発明が解決しようとする課題】
【０００４】
しかしながら、上述した電池ケースのように、電池を保持する専用の部品を設けてしまうと、部品点数の増大をもたらす。この結果、例えば、機器の小型化を阻害するという不利益が生じる。
【０００５】
本発明はかかる事情に鑑みてなされたものであり、その目的は、部品点数の増大を抑制しつつ電池を保持する機構を備えた電子機器を提供することにある。
【課題を解決するための手段】
【０００６】
本発明は、本体部とカバー部とを有するケースであって、前記本体部が、収容する電池の一方の第１の面の少なくとも一部を支持するように構成された前記ケースと、前記ケース内に収容され、前記電池の他方の第２の面側に位置するように構成された回路基板と、前記ケース内に収容され、前記回路基板と前記カバー部との間に位置する弾性体と、を備え、前記弾性体の少なくとも一部が、前記カバー部に押圧されて前記電池の前記第２の面に当接するように構成されている、電子機器である。
【０００７】
この構成によれば、電池の第１の面を支持する本体部と、カバー部に押圧されて電池の第２の面に当接する弾性体とによって、電池を保持することができる。また、この構成によれば、弾性体は、回路基板とカバー部との間に位置する部材であって、例えば回路基板を保護する機能を有する部材として構成されるから、部品点数の増大を抑制しつつ電池を保持する機構を実現することができる。
【０００８】
好適には本発明の電子機器は、前記カバー部は、前記弾性体側に突出する第１の突出部を有し、前記弾性体の前記少なくとも一部は、前記第１の突出部に押圧されて前記第２の面に当接するように構成されている。
【０００９】
この構成によれば、カバー部が有する第１の突出部によって、弾性体を電池に当接させることができる。この結果、回路基板のカバー部側において電子部品等を実装する空間を確保することができ、また、第１の突出部が突出する高さに応じた押圧力を弾性体を介して電池に作用させることができる。
【００１０】
好適には本発明の電子機器は、前記弾性体は、前記回路基板側に突出すると共に前記カバー部側が凹んでいる第２の突出部を有し、前記弾性体の前記第２の突出部が、前記第１の突出部に押圧されて前記第２の面に当接するように構成されている。
【００１１】
この構成によれば、弾性体の第２の突出部のカバー部側が凹んでおり、この第２の突出部をカバー部の第１の突出部が押圧する構造であるから、カバー部と弾性体とを良好に結合させることができる。
【００１２】
好適には本発明の電子機器は、前記弾性体は、前記回路基板側に突出する第２の突出部を有し、前記弾性体の前記第２の突出部が、前記カバー部に押圧されて前記電池の前記第２の面に当接するように構成されている。
【００１３】
この構成によれば、弾性体が有する第２の突出部が電池に当接する構造であるから、回路基板のカバー部側において電子部品等を実装する空間を確保することができ、また、第２の突出部が突出する高さに応じた押圧力を電池に作用させることができる。
【００１４】
好適には本発明の電子機器は、前記回路基板は、貫通孔を有し、前記弾性体の前記少なくとも一部は、前記貫通孔を通って前記第２の面に当接するように構成されている。
【００１５】
この構成によれば、回路基板が有する貫通孔を通って弾性体が電池に当接する構造であるから、回路基板を迂回することなく弾性体を電池に当接させることができる。この結果、回路基板を迂回する必要がないから、電子機器の小型化を図ることができる。
【００１６】
好適には本発明の電子機器は、前記回路基板は、切り欠き部を有し、前記弾性体の前記少なくとも一部は、前記切り欠き部によって生じたスペースを通って前記第２の面に当接するように構成されている。
【００１７】
この構成によれば、回路基板が有する切り欠き部によって生じたスペースを通って弾性体が電池に当接する構造であるから、回路基板を迂回することなく弾性体を電池に当接させることができる。この結果、回路基板を迂回する必要がないから、機器の小型化を図ることができる。
【００１８】
好適には本発明の電子機器は、前記本体部は、前記電池及び前記回路基板を収容する凹部を有し、前記弾性体は、前記凹部を閉塞している。
【００１９】
この構成によれば、弾性体が電池及び回路基板を収容する凹部を閉塞するから、電池及び回路基板に対する防水機能等を実現することができる。
【００２０】
好適には本発明の電子機器は、前記本体部は、前記第１及び第２の面に平行な方向の前記電池の移動を規制する規制部を有し、前記規制部は、前記電池の外周の少なくとも一部に沿うように設けられている壁部である。
【００２１】
この構成によれば、本体部及び弾性体によって第１及び第２の面に垂直な方向の電池の移動を規制することに加え、第１及び第２の面に平行な方向の電池の移動を規制するから、より確実に電池を保持することができる。
【００２２】
好適には本発明の電子機器は、前記回路基板は、前記電池側に、前記第２の面に接触するように構成された電極部を有し、前記弾性体側に、１又は複数の電子部品が実装されており、前記弾性体は、前記１又は複数の電子部品を覆っている。
【００２３】
この構成によれば、回路基板が有する電極部が電池の第２の面に接触する構造とすることができる。また、この構成によれば、回路基板に実装されている電子部品を弾性体によって保護することができる。
【００２４】
好適には本発明の電子機器は、前記回路基板は、前記弾性体側に少なくともスイッチが実装されており、前記本体部は、操作者による押下操作に応じて前記弾性体を介して前記スイッチをオンするノブを有する。
【００２５】
この構成によれば、本発明の電子機器を、スイッチ機能を有する電子機器として構成することができる。
【００２６】
好適には本発明の電子機器は、前記電池をさらに備える。
【００２７】
この構成によれば、本発明の電子機器を、電池を備える構成とすることができる。
【発明の効果】
【００２８】
本発明によれば、部品点数の増大を抑制しつつ電池を保持する機構を備えた電子機器を提供することができる。
【図面の簡単な説明】
【００２９】
【図１】本発明の実施形態に係る電子機器の外観図である。
【図２】図１の電子機器を斜め上から見た分解斜視図である。
【図３】図１の電子機器を斜め下から見た分解斜視図である。
【図４】図１の電子機器が備える本体部の斜視図である。
【図５】図１の電子機器が備える電池の斜視図である。
【図６】図１の電子機器が備える回路基板を斜め上から見た斜視図である。
【図７】図１の電子機器が備える回路基板を斜め下から見た斜視図である。
【図８】図１の電子機器が備える弾性体を斜め上から見た斜視図である。
【図９】図１の電子機器が備える弾性体を斜め下から見た斜視図である。
【図１０】図１の電子機器が備えるカバー部を斜め上から見た斜視図である。
【図１１】図１の電子機器が備えるカバー部を斜め下から見た斜視図である。
【図１２】図１のＡ−Ａ線における断面を模式的に示す図である。
【図１３】変形例の回路基板の上面図である。
【図１４】変形例の電子機器の図１２の断面に対応する断面を模式的に示す図である。
【発明を実施するための形態】
【００３０】
以下、本発明の実施形態に係る電子機器について説明する。図１は、本実施形態の電子機器１の外観図であり、図２は、図１の電子機器１を斜め上から見た分解斜視図であり、図３は、図１の電子機器１を斜め下から見た分解斜視図である。電子機器１は、例えば、車両のキーレスエントリシステムの電子キーとして構成されている。
【００３１】
本明細書において、上下、左右、前後方向は、説明の便宜上規定するものであって、実際の使用時おける方向を限定するものではない。本明細書で説明に用いられる用語は、各構成要素の概略の形状を説明するために使用されており、説明に使用される用語は、「略」という言葉があるかないかにかかわらず、各構成要素が厳密にその形状のみに限定されるわけではない。
【００３２】
電子機器１は、図１〜３に示すように、本体部１０とカバー部５０とによって構成された略箱型形状のケース５の内部に、電池２０、回路基板３０、及び、弾性体４０が収容されている。なお、電池２０は、電子機器１の製造時及び販売時等においては、必ずしもケース５の内部に収容されていない。
【００３３】
図４は、ケース５を構成する本体部１０を斜め上から見た斜視図である。図４に示すように、本体部１０は、上方（カバー部５０側）に開口する略箱型形状を有し、例えば、合成樹脂等によって形成されている。本体部１０の内側の底面には、それぞれが上方に突出して延びる支持部１２、壁部（規制部）１４、及びプラス電極受け部１６が設けられている。また、上方に開口する本体部１０の凹部１８は、電池２０及び回路基板３０を収容する空間である。本体部１０の側壁の外側には、カバー部５０と係合するための係合部（符号なし）が設けられている。
【００３４】
図４に示すように、支持部１２は、本体部１０の底面の略中心に位置している。支持部１２は、本体部１０の左右方向（短手方向）に略直線状に延びる直線部１２１と、上から見て略円環状の形状を有する円環部１２２とが結合した形状を有する。直線部１２１及び円環部１２２を含む支持部１２の高さは略均一である。支持部１２は、その上端において電池２０に接触して電池２０を下側から支持する。
【００３５】
図４に示すように、壁部１４は、支持部１２を囲むように配置された５つの部材によって構成されている。具体的には、壁部１４は、支持部１２の左右両側に位置し、本体部１０の側壁と一体化されている略角柱形状の２つの壁部１４１と、支持部１２の前方に位置し、上から見て左右方向に円弧状に延びる１つの壁部１４２と、支持部１２の後方に位置し、左右方向に特定の間隔を空けて並べて配置されている略角柱形状の２つの壁部１４３と、によって構成されている。これらの５つの部材によって構成される壁部１４は、その内側に電池２０が収容されるように（電池２０の外周に沿うように）設けられている。
【００３６】
プラス電極受け部１６は、壁部１４３の後方に位置し、上から見て略「Ω」字型の形状を有する。プラス電極受け部１６は、回路基板３０に実装されている後述するプラス電極端子７２を受け入れるように構成されている。プラス電極受け部１６に受け入れられるプラス電極端子７２の端部が、プラス電極受け部１６と壁部１４３との間のスペースを通って斜め前方に延び、この結果、当該端部が、壁部１４の内側に収容される電池２０の側面に接触する。
【００３７】
図５は、電池２０の斜視図である。図５に示すように、電池２０は、ボタン型電池であり、下側（本体部１０側）の面である第１の面２２と、上側（カバー部５０側）の面である第２の面２４と、を有する。
【００３８】
図６は、回路基板３０を斜め上から見た斜視図であり、図７は、回路基板３０を斜め下から見た斜視図である。回路基板３０は、一般的なプリント基板として構成されている。図６に示すように、回路基板３０の上側の面には、面全体の略中心から若干前方にスライドした位置にスイッチ７０が実装されている。スイッチ７０は、例えば、タクタイルスイッチとして構成されている。なお、回路基板３０の上側の面に、スイッチ７０以外の様々な電子部品を実装することもできる。
【００３９】
図７に示すように、回路基板３０の下側の面には、プラス電極端子７２及びマイナス電極端子（電極部）７４が前後方向に並べて設けられている。プラス電極端子７２は、面全体の略中心から後方にスライドした位置に設けられており、上述した本体部１０のプラス電極受け部１６に受け入れられる形状を有する。マイナス電極端子７４は、上側の面におけるスイッチ７０の位置に対応する位置に設けられており、斜め下方に延びる２つの接触部（符号なし）が電池２０に接触する。
【００４０】
図６及び７に示すように、回路基板３０は、スイッチ７０（マイナス電極端子７４）の前後左右に４つの貫通孔３２が形成されている。この貫通孔３２は、上から見て、本体部１０の壁部１４の内側に収容される電池２０の外周の内側に位置している。即ち、貫通孔３２は、上から見て電池２０に重なる位置に設けられている。
【００４１】
図８は、弾性体４０を斜め上から見た斜視図であり、図９は、弾性体４０を斜め下から見た斜視図である。弾性体４０は、略板状の形状を有し、合成ゴム等の弾性を有する材料によって形成されている。弾性体４０は、上から見た大きさが、回路基板３０と同等であり、あるいは、若干大きく又は小さい。
【００４２】
図８に示すように、弾性体４０の上側の面には、面全体の略中心から若干前方にスライドした位置に、上から見て長方形の輪郭を有し、下方に陥没する陥没部４１が設けられている。また、弾性体４０は、陥没部４１の略中心に、上方に突出する略円錐台形状の円錐台部４２を有する。また、図９に示すように、弾性体４０は、陥没部４１の前後左右に、下方（回路基板３０側）に突出する略円柱形状の４つの第２の突出部４４を有する。
【００４３】
図９に示すように、円錐台部４２は、その下側は上方向に凹む凹部４２１となっている。この凹部４２１には、回路基板３０に実装されているスイッチ７０が収容される。
【００４４】
図８に示すように、第２の突出部４４は、その上側は下方向に凹む凹部４４１となっている。即ち、第２の突出部４４は、回路基板３０側に突出すると共にカバー部５０側が凹んでいる。４つの第２の突出部４４は、回路基板３０の４つの貫通孔３２の位置に対応する位置に設けられており、略円柱形状の第２の突出部４４の外径は、貫通孔３２の内径と同等であり、又は、若干小さい。つまり、第２の突出部４４は、貫通孔３２を通るように構成されている。
【００４５】
図１０は、ケース５を構成するカバー部５０を斜め上から見た斜視図であり、図１１は、カバー部５０を斜め下から見た斜視図である。図１０及び１１に示すように、カバー部５０は、下方に開口する略箱型の形状を有し、例えば、合成樹脂等によって形成されている。図１１に示すように、カバー部５０の側壁の内側には、本体部１０と係合するための係合部（符号なし）が設けられている。
【００４６】
図１０及び１１に示すように、カバー部５０の略中心から若干前方にシフトした位置には、上から見て略長方形の輪郭を有する貫通孔であるノブ枠５２が設けられている。このノブ枠５２には、下側からノブ６０が上下方向に移動可能に取り付けられる。ノブ枠５２（ノブ６０）は、弾性体４０の円錐台部４２の上底に対向する位置に設けられている。
【００４７】
図１１に示すように、カバー部５０は、ノブ枠５２の前後左右に、下方に突出する略円柱形状の４つの第１の突出部５４を有する。４つの第１の突出部５４は、弾性体４０の４つの第２の突出部４４の位置に対応する位置に設けられている。第１の突出部５４の外径は、第２の突出部４４の凹部４４１の内径と同等であり、又は、若干小さい。つまり、第１の突出部５４は、第２の突出部４４の凹部４４１に収容されるように構成されている。
【００４８】
次に、このように構成された電子機器１の作用について説明する。図１２は、図１のＡ−Ａ線における断面を模式的に示す図である。図１２に示すように、電子機器１のケース５の内部には、電池２０、回路基板３０、及び弾性体４０が収容されている。電池２０は、その下側の第１の面２２が、本体部１０の支持部１２によって支持されている。また、電池２０は、その上側の第２の面２４に、弾性体４０の第２の突出部４４の下端が接触している。第２の突出部４４は、回路基板３０の貫通孔３２を通っている。また、第２の突出部４４は、カバー部５０の第１の突出部５４に押圧されている。したがって、電池２０は、本体部１０（支持部１２）及び弾性体４０（第２の突出部４４）によって垂直方向（第１の面２２及び第２の面２４に対して垂直な方向）の移動が規制されるから、垂直方向のガタつき・振動が抑制される。
【００４９】
また、図１２に示すように、電池２０は、その外周に沿って設けられている本体部１０の壁部１４の内側に収容されている。したがって、電池２０は、本体部１０（壁部１４）によって水平方向（第１の面２２及び第２の面２４と平行な方向）の移動が規制されるから、水平方向のガタつき・振動が抑制される。
【００５０】
また、図１２に示すように、弾性体４０は、その縁部が、ケース５を構成する本体部１０及びカバー部５０が係合する部分において、本体部１０とカバー部５０との間に挟まれて保持されている。この結果、弾性体４０は、電池２０及び回路基板３０を収容する本体部１０の凹部１８を閉塞している。したがって、弾性体４０は、電池２０及び回路基板３０に対する防水機能を実現している。
【００５１】
また、図１２に示すように、弾性体４０は、回路基板３０の上側の面に実装されているスイッチ７０を含む面全体を覆っている。この結果、弾性体４０は、回路基板３０に実装されるスイッチ７０等の電子部品を保護する機能を実現している。
【００５２】
また、図１２に示すように、弾性体４０の円錐台部４２は、その上底がカバー部５０に取り付けられているノブ６０と接触し、その内側にスイッチ７０を収容している。そして、ノブ６０が操作者による押下操作に応じて下方に移動すると、弾性体４０の円錐台部４２が下方に潰れるように変形し、この変形した円錐台部４２を介してスイッチ７０がオンされる。つまり、弾性体４０（円錐台部４２）は、操作者がノブ６０を押下操作するときに、操作者に対して適度な抵抗感・フィーリングを付与する機能を実現している。
【００５３】
このように、弾性体４０は、様々な機能を実現するための部材であると言える。即ち、電子機器１は、電池２０を保持する専用の部品を設けることなく、上述した電池２０を保持する機構を実現している。つまり、電子機器１は、部品点数の増大を抑制しつつ電池２０を保持する機構を実現している。
【００５４】
本発明は上述した実施形態には限定されない。すなわち、当業者は、本発明の技術的範囲又はその均等の範囲内において、上述した実施形態の構成要素に関し、様々な変更、コンビネーション、サブコンビネーション、並びに代替を行ってもよい。
【００５５】
例えば、回路基板３０が有する貫通孔３２の位置、数、及び形状等に関し、様々な変更を行うことができる。例えば、貫通孔３２の一部又は全部に代えて、回路基板３０の端部に切り欠き部を形成することができる。図１３は、変形例の回路基板１３０の上面図である。図１３に示すように、変形例の回路基板１３０は、上述した実施形態の回路基板３０における４つの貫通孔３２のうちの３つの貫通孔３２に代えて、３つの端部それぞれに切り欠き部１３２が設けられている。弾性体４０が有する４つの第２の突出部４４のうち３つの第２の突出部４４は、切り欠き部１３２によって生じたスペースを通って電池２０の第１の面２２に当接する。この回路基板１３０は、上述した回路基板３０と比べて上から見た大きさを小さくすることができる。この結果、電子機器１の水平方向の小型化を図ることができる。
【００５６】
また、例えば、弾性体４０が電池２０の第１の面２２に当接する構造に関し、様々な変更を行うことができる。図１４は、変形例の電子機器１０１の図１２の断面に対応する断面を模式的に示す図である。変形例の電子機器１０１の弾性体１４０は、上側が凹んでいる上述した第２の突出部４４に代えて、上側が凹んでいない第２の突出部１４４を有する。また、変形例の電子機器１０１のカバー部１５０は、上述した第１の突出部５４に相当する突出部を有していない。この変形例の電子機器１０１においても、弾性体１４０の第２の突出部１４４が、カバー部１５０に押圧されて電池２０の第２の面２４に当接するから、垂直方向のガタつき・振動が抑制される。
【００５７】
また、例えば、上述した実施形態の弾性体４０を、第２の突出部４４を設けないように構成することもできる。この場合であっても、弾性を有する弾性体４０が、カバー部５０の第１の突出部５４によって押圧されて電池２０の第２の面２４に当接するように構成することができる。
【００５８】
また、弾性体４０が実現する機能に関し、様々な変更を行うことができる。例えば、上述した実施形態の弾性体４０が実現する機能の一部を省略し、上述した実施形態の弾性体４０が実現する機能とは異なる機能を実現するように構成することができる。例えば、弾性体４０を、操作者がノブ６０を押下操作するときに、操作者に対して適度な抵抗感・フィーリングを付与する機能のみを実現するように構成することもできる。この場合、弾性体４０は、本体部１０の凹部１８を閉塞しなくてもよく、また、回路基板３０の面全体を覆う必要もない。
【００５９】
また、本発明の電子機器は、上述した電子機器１、１０１のように、スイッチ機能を有する装置に限定されない。
【産業上の利用可能性】
【００６０】
本発明は、例えば、車両のキーレスエントリシステムの電子キーに適用可能である。
【符号の説明】
【００６１】
１、１０１…電子機器
５…ケース
１０…本体部
１４…壁部（規制部）
１８…凹部
２０…電池
２２…第１の面
２４…第２の面
３０、１３０…回路基板
３２…貫通孔
１３２…切り欠き部
４０、１４０…弾性体
４４、１４４…第２の突出部
５０、１５０…カバー部
５４…第１の突出部
６０…ノブ
７０…スイッチ
７４…マイナス電極端子
【図１】
2017130335.tif 000003
【図２】
2017130335.tif 000004
【図３】
2017130335.tif 000005
【図４】
2017130335.tif 000006
【図５】
2017130335.tif 000007
【図６】
2017130335.tif 000008
【図７】
2017130335.tif 000009
【図８】
2017130335.tif 000010
【図９】
2017130335.tif 000011
【図１０】
2017130335.tif 000012
【図１１】
2017130335.tif 000013
【図１２】
2017130335.tif 000014
【図１３】
2017130335.tif 000015
【図１４】
2017130335.tif 000016